(57)【要約】【課題】スポット溶接機を用いてスポット溶接を行うに際し、溶接ガンの中心軸を、被溶接ワークの面に対し、精度良く正確に面直に設定することできる面直ゲージ、及び該面直ゲージを用いた溶接ガンの被溶接ワークに対する面直設定方法を提供する。【解決手段】スポット溶接機の溶接ガン５０を被溶接ワーク３０に対して面直に設定する際に用いられる面直ゲージ１であって、被溶接ワーク３０に戴置される底面１０ｔを有する本体部１０に、平面鏡２０が保持されており、平面鏡２０に対する溶接ガン５０用の入射軸１２０が、底面１０ｔの垂直方向に設定されており、入射軸１２０に対して特定の角度を以った入射軸１２０に対する反射軸１３０と交差する本体部１０の側面１０ｓに、接眼部１１が配設されていることを特徴とする。【選択図】図１
2006218538.tif 000002
【特許請求の範囲】
【請求項１】
スポット溶接機の溶接ガンを被溶接ワークに対して面直に設定する際に用いられる面直ゲージであって、
上記被溶接ワークに戴置される基準面を有する本体部に、平面鏡が保持されており、
上記平面鏡に対する上記溶接ガン用の入射軸が、上記基準面の垂直方向に設定されており、
上記入射軸に対して特定の角度を以った上記入射軸に対する反射軸と交差する上記本体部の面に、観察手段が配設されていることを特徴とする面直ゲージ。
【請求項２】
上記観察手段は、上記本体部に設けられた接眼部材であることを特徴とする請求項１に記載の面直ゲージ。
【請求項３】
上記本体部の少なくとも上記反射軸に交差する面が透明部材により形成されており、上記観察手段は、上記反射軸と交差する上記透明部材の面に配設されたマークであることを特徴とする請求項１または２に記載の面直ゲージ。
【請求項４】
上記本体部の上記入射軸に交差する面と上記反射軸に交差する面とのいずれかに、上記入射軸と上記反射軸とのいずれかを中心としたセンタマークが設けられていることを特徴とする請求項１〜３のいずれかに記載の面直ゲージ。
【請求項５】
上記センタマークは、交差点が上記入射軸と上記反射軸とのいずれかを通過するクロスマークと、中心が上記入射軸と上記反射軸とのいずれかとなる円形マークとの少なくとも一方であることを特徴とする請求項４に記載の面直ゲージ。
【請求項６】
本体部に平面鏡を保持する面直ゲージを用いて、スポット溶接機の溶接ガンを被溶接ワークに対して面直に設定する面直設定方法であって、
上記本体部の基準面を、上記被溶接ワークの溶接位置に戴置させる工程と、
上記基準面の垂直方向に設定された、上記平面鏡に対する上記溶接ガン用の入射軸上に、上記溶接ガンの軸の中心を位置させる工程と、
上記平面鏡に対し上記入射軸に沿って入射され、上記入射軸に対する反射軸方向に反射された上記溶接ガンの像、及び上記本体部の上記入射軸に交差する面と上記反射軸に交差する面とのいずれかに形成されたセンタマークの像を、上記本体部の上記反射軸と交差する面に配設された観察手段から観察させる工程と、
上記溶接ガンの像及び上記センタマークの像が観察された状態で、上記溶接ガンの軸の中心が上記入射軸と一致するよう、上記溶接ガンを移動させる工程と、
を具備することを特徴とする面直ゲージを用いた溶接ガンの被溶接ワークに対する面直設定方法。
【発明の詳細な説明】
【技術分野】
【０００１】
本発明は、スポット溶接機の溶接ガンを被溶接ワークに対して面直に設定する際に用いられる面直ゲージ、該面直ゲージを用いた溶接ガンの被溶接ワークに対する面直設定方法に関する。
【背景技術】
【０００２】
従来、スポット溶接機の溶接ガンは、溶接ロボットの動作によって、溶接位置と待機位置とを往復移動され、溶接位置において、被溶接ワークをスポット溶接する。溶接ガンを溶接位置まで導くティーチングに際しては、溶接ガンを手動操作で被溶接ワークの打点位置まで順に移動させ、正規打点位置に合致したところで、溶接ロボットの各位置データをティーチングデータとして記憶させている。
【０００３】
ところで、スポット溶接を行うに際しては、溶接不良を防止するため、スポット溶接機の溶接ガンの中心軸を、被溶接ワークの面に対し面直に設定する、即ち、溶接ガンに装着される溶接チップを、被溶接ワークの正規打点位置の面に対し面直に接触させる必要がある。
【０００４】
しかしながら、従来は、ティーチング作業に際し、被溶接ワークの面に対する溶接ガンの面直設定を、作業者の目視により行っていたため、被溶接ワークの面に対する溶接ガンの面直度を定量的に確認することができなかった。
【０００５】
その結果、溶接不良を招く可能性があるため、スポット溶接毎後、溶接部位の確認作業を行わなくてはならず、作業工数が増大していた。
【０００６】
このような事情に鑑み、例えば特許文献１では、ティーチング作業に際し、溶接ガンの中心軸を、被溶接ワークの正規打点位置の面に対し面直に設定するための面直ゲージ、及び該面直ゲージを用いた溶接ガンの被溶接ワークに対する面直設定方法が提案されている。
【０００７】
具体的には、先ず、面直ゲージを、被溶接ワークの面に戴置される基底プレートと、中央にセンタマークが形成された平面鏡と、溶接ガンの溶接チップが近接される中央に溶接チップの径よりも大きな孔が形成された上面プレートとから構成し、基底プレートと平面鏡と上面プレートとが各々平行となるよう、複数のポールを用いて高さ方向に間隔をおいて構成する。
【０００８】
尚、該面直ゲージは、斜め方向から平面鏡に形成されたセンタマークが観察可能なように構成されている。その後、このように構成された面直ゲージを被溶接ワークの面に戴置する。
【０００９】
次いで、面直ゲージの平面鏡を斜め方向から観察しながら、平面鏡に写像される溶接ガンに装着された溶接チップの像と、センタマークの像との位置関係が均等となるよう溶接ガンを移動させることで、溶接ガンの中心軸を、被溶接ワークの面に対し面直に設定する。最後に、溶接ロボットの各位置データをティーチングデータとして記憶させる。
【００１０】
このように、面直ゲージを用いて溶接ガンの中心軸を、被溶接ワークの面に対し面直に設定することで、面直度の確認を定量的に行うことにより、確認に要する工数の低減を図ることができる。
【００１１】
また、特許文献２には、平面鏡を基底プレートと一体化することにより、小型化した面直ゲージが提案されている。
【特許文献１】特開平１０−４３８７１号公報
【特許文献２】特開平９−２７１９５５号公報
【発明の開示】
【発明が解決しようとする課題】
【００１２】
しかしながら、上述した特許文献１及び特許文献２に開示された面直ゲージにおいては、上面プレートと平面鏡とが、互いに平行に配設されているため、平面鏡に入射する溶接チップの入射軸の像、即ち溶接ガンの中心軸の反射像は、溶接ガン側に写像されるはずである。
【００１３】
よって、平面鏡に写像される溶接チップの像とセンタマークの像とを、面直ゲージの斜め方向から観察する場合、溶接チップの先端像は、斜め方向から観察することができるが、溶接ガンの中心軸の像に至っては、斜め方向から観察することは不可能である。
【００１４】
したがって、特許文献１及び特許文献２に開示された面直ゲージでは、溶接ガンの中心軸を、被溶接ワークの面に対し、精度良く正確に面直に設定することは熟練を要するといった問題があった。
【００１５】
本発明の目的は、上記問題に鑑みてなされたものであり、スポット溶接機を用いてスポット溶接を行うに際し、溶接ガンの中心軸を、被溶接ワークの面に対し、精度良く正確に面直に設定することできる面直ゲージ、及び該面直ゲージを用いた溶接ガンの被溶接ワークに対する面直設定方法を提供するにある。
【課題を解決するための手段】
【００１６】
上記目的を達成するために本発明による面直ゲージは、スポット溶接機の溶接ガンを被溶接ワークに対して面直に設定する際に用いられる面直ゲージであって、上記被溶接ワークに戴置される基準面を有する本体部に、平面鏡が保持されており、上記平面鏡に対する上記溶接ガン用の入射軸が、上記基準面の垂直方向に設定されており、上記入射軸に対して特定の角度を以った上記入射軸に対する反射軸と交差する上記本体部の面に、観察手段が配設されていることを特徴とする
また、本発明による面直ゲージを用いた溶接ガンの被溶接ワークに対する面直設定方法は、本体部に平面鏡を保持する面直ゲージを用いて、スポット溶接機の溶接ガンを被溶接ワークに対して面直に設定する面直設定方法であって、上記本体部の基準面を、上記被溶接ワークの溶接位置に戴置させる工程と、上記基準面の垂直方向に設定された、上記平面鏡に対する上記溶接ガン用の入射軸上に、上記溶接ガンの軸の中心を位置させる工程と、上記平面鏡に対し上記入射軸に沿って入射され、上記入射軸に対する反射軸方向に反射された上記溶接ガンの像、及び上記本体部の上記入射軸に交差する面と上記反射軸に交差する面とのいずれかに形成されたセンタマークの像を、上記本体部の上記反射軸と交差する面に配設された観察手段から観察させる工程と、上記溶接ガンの像及び上記センタマークの像が観察された状態で、上記溶接ガンの軸の中心が上記入射軸と一致するよう、上記溶接ガンを移動させる工程と、を具備することを特徴とする。
【発明の効果】
【００１７】
本発明の面直ゲージ、及び該面直ゲージを用いた溶接ガンの溶接チップの被溶接ワークに対する面直設定方法によれば、スポット溶接機を用いてスポット溶接を行うに際し、溶接ガンの中心軸を、被溶接ワークの面に対し、精度良く正確に面直に設定することできる。
【発明を実施するための最良の形態】
【００１８】
以下、図面を参照して本発明の実施の形態を説明する。  
図１は、本発明の一実施の形態を示す面直ゲージの構成を、溶接機の溶接ガンと、被溶接ワークとともに示した部分断面図、図２は、図１の面直ゲージの上面図である。
【００１９】
図１に示すように、面直ゲージ１は、例えばロボットにより構成されたスポット溶接機の溶接ガン５０の中心軸５１を、被溶接ワーク３０の面３０ｆに対し面直に設定するに際し用いられるものであり、例えば本体部１０と、該本体部に接続された観察手段である接眼部１１とから主要部が構成されている。
【００２０】
尚、溶接ガン５０は、周知のように、被溶接ワーク３０に対して、多数の溶接位置に移動可能であり、被溶接ワーク３０に対する距離及び接触角度による姿勢が制御可能な構成となっている。また、溶接ガンの被溶接ワーク３０側には、被溶接ワーク３０の面３０ｆへの接触部となる溶接チップ５０ｃが装着されている。
【００２１】
本体部１０は、例えば箱状形状を有しており、基準面となる底面１０ｔと、該底面１０ｔと対向する上面１０ｊと、互いに対向して底面１０ｔと上面１０ｊとを連結する２つの側面１０ｓとにより構成されている。本体部１０の内部には、例えば２つの側面１０ｓにより各端部が保持された板状の平面鏡２０が配置されている。
【００２２】
底面１０ｔは、面直ゲージ１を用いて溶接ガン５０の中心軸５１の被溶接ワーク３０の面３０ｆに対する面直を設定するに際し、被溶接ワーク３０の溶接位置に載置される面であり、例えば磁性を有するプレートから形成されている。尚、底面１０ｔは、磁性を有さない樹脂等のプレートにより形成してもよい。
【００２３】
底面１０ｔの中央には、被溶接ワーク３０の面３０ｆの溶接位置に付された該位置を示す印（図示せず）を確認するための、例えば円形の窓孔１０ｔｈが、該窓孔１０ｔｈの中心が平面鏡２０に対する溶接チップ５０ｃの後述する入射軸１２０と一致するように形成されている。
【００２４】
２つの側面１０ｓは、光透過性を有する透明なプレート部材、例えば透明な樹脂プレートから形成されている。尚、２つの側面１０ｓの内、一方の側面１０ｓは、平面鏡２０の後述する反射軸１３０と交差する面となっている。
【００２５】
上面１０ｊは、溶接ガン５０に装着された溶接チップ５０ｃが近接する面であり、光透過性を有する透明なプレート部材、例えば透明な樹脂プレートから形成されている。尚、図１中は、上面１０ｊは、底面１０ｔに対し平行な面となっているが、底面１０ｔと対向するよう配置されておれば、底面１０ｔに対し非平行な面であってもよい。また、上面１０ｊは、平面鏡２０の後述する入射軸１２０と交差する面となっている。
【００２６】
上面１０ｊの中央であって、平面鏡２０に対する溶接チップ５０ｃの入射軸１２０と交差する位置に、図２に示すように、センタマーク４０が付されている。センタマーク４０は、平面鏡２０に対する溶接チップ５０ｃの入射軸１２０を、互いに９０°交差する交差点が通過するクロスマーク４０ｃと、入射軸１２０を中心とする円形マーク４０ｓとにより構成されている。尚、センタマーク４０は、クロスマーク４０ｃと、円形マーク４０ｓとのいずれかで構成しても良い。
【００２７】
平面鏡２０は、溶接ガン５０の溶接チップ５０ｃが本体部１０の上面１０ｊの上方に位置された際、入射、即ち写像された溶接チップ５０ｃの像及び上面１０ｊに付されたセンタマーク４０の像を反射する入反射面２０ｆを有している。
【００２８】
平面鏡２０は、入反射面２０ｆが底面１０ｔに対して特定の角度θを有するよう、本体部１０の２つの側面１０ｓに、各端部が固定されている。即ち、平面鏡２０の入反射面２０ｆは、底面１０ｔと非平行となるよう２つの側面１０ｓに各端部が固定されている。
【００２９】
尚、平面鏡２０に対する溶接チップ５０ｃの入射軸１２０は、底面１０ｔの垂直方向となるように設定されている。このことから、平面鏡２０の入反射面２０ｆに写像される溶接チップ５０ｃ及びセンタマーク４０の入射角と、入反射面２０ｆによって反射される溶接チップ５０ｃ及びセンタマーク４０の反射角とは等しくなる。
【００３０】
本体部１０の側面１０ｓであって、平面鏡２０に対する入射軸１２０に沿った入射方向に対する反射方向の反射軸１３０と交差する位置に、例えば筒状形状を有する接眼部材である接眼部１１が、該接眼部１１の中心が反射軸１３０と一致するよう接続されている。
【００３１】
尚、反射軸１３０は、平面鏡２０の入反射面２０ｆが底面１０ｔに対して特定の角度θ傾いて固定されていることにより、入射軸１２０に対して上記特定の角度θを有している。
【００３２】
接眼部１１は、平面鏡２０に写像された溶接チップ５０ｃの像及びセンタマーク４０の像４０’の反射光を、透明部材により構成された側面１０ｓを介して観察者１００により観察可能となるよう構成されている。
【００３３】
次に、このように構成された面直ゲージ１の作用について説明する。具体的には、面直ゲージ１の使用方法について先に説明した図１、図２及び図３を用いて説明する。図３は、図１の平面鏡２０に写像された溶接チップ及びセンタマーク４０を示す平面図である。
【００３４】
溶接ロボットは、予めティーチングされた作動データに基づいて動作される。ティーチングに際しては、先ず、溶接ガン５０の中心軸５１を被溶接ワーク３０の面３０ｆに対して面直に設定するための面直ゲージ１を、被溶接ワーク３０の面３０ｆの溶接位置に載置する。
【００３５】
具体的には、面直ゲージ１の本体部１０の底面１０ｔに形成された窓孔１０ｔｈを介して、被溶接ワーク３０の面３０ｆの溶接位置に付された該位置を示す印を確認する。
【００３６】
次いで、確認した位置において面直ゲージ１を、底面１０ｔの磁力を用いて被溶接ワーク３０の面３０ｆに対して固定する。尚、面直ゲージ１の被溶接ワーク３０の面３０ｆに対する固定は、底面１０ｔの磁力に限定されない。
【００３７】
次いで、観察者１００は、接眼部１１を覗きながら、溶接ガン５０を手動操作で被溶接ワーク３０の打点位置まで順に移動させ、溶接ガン５０の溶接チップ５０ｃを、溶接ガン５０の中心軸５１が、平面鏡２０に対する溶接チップ５０ｃの入射軸１２０と一致するよう、平面鏡２０に写像させる。尚、平面鏡２０には、常時センタマーク４０の像４０’（図３参照）が写像され、反射光が観察者１００により観察できるようになっている。
【００３８】
この際、観察者１００は、接眼部１１から平面鏡２０を観察した際、打点位置において、溶接ガン５０の中心軸５１が、平面鏡２０に対する溶接チップ５０ｃの入射軸１２０と一致していれば、即ち、溶接ガン５０の中心軸５１と被溶接ワーク３０の面３０ｆとが、面直となっていれば、図３に示すように、溶接チップ５０ｃの円形の像５０ｃｓが、センタマーク４０のクロスマーク４０ｃの像４０ｃ’と合致するとともに、円形マーク４０ｓの像４０ｓ’の外周に同心円となるよう位置するよう見える。
【００３９】
これは、平面鏡２０に対する溶接チップ５０ｃの入射軸１２０を、底面１０ｔの垂直方向に設定し、平面鏡２０に写像する溶接チップ５０ｃの像の入射角と反射角とが一致するよう、平面鏡２０を本体部１０内に、底面１０ｔに対し特定の角度θ傾けて固定したためである。
【００４０】
しかしながら、打点位置において、溶接ガン５０の中心軸５１と、平面鏡２０に対する溶接チップ５０ｃの入射軸１２０とがずれている場合は、即ち、溶接ガン５０の中心軸５１と被溶接ワーク３０とが、面直となっていなければ、図３に示すように、溶接チップ５０ｃの円形の像５０ｃｓ’は、センタマーク４０のクロスマーク４０ｃ及び円形マーク４０ｓの像４０ｃ’，４０ｓ’からずれて位置するよう見える。
【００４１】
溶接ガン５０の中心軸５１と、平面鏡２０に対する溶接チップ５０ｃの入射軸１２０とがずれている場合は、観察者１００は、接眼部１１から平面鏡２０を観察しながら、ずれている溶接チップ５０ｃの円形の像５０ｃｓ’が、センタマーク４０のクロスマーク４０ｃの像４０ｃ’の交差点と一致するとともに、円形マーク４０ｓの像４０ｓ’の外周に同心円となるよう位置するまで、溶接ガン５０の溶接チップ５０ｃを手動操作により移動させる。このことにより、溶接ガン５０の中心軸５１は、被溶接ワーク３０に対して面直に設定される。
【００４２】
溶接ガン５０の中心軸５１と被溶接ワーク３０の面３０ｆとの面直が確認された後は、溶接ロボットに各位置データをティーチングデータとして記憶させる。その後、被溶接ワーク３０から面直ゲージ１を外す。
【００４３】
このように、本実施の形態を示す面直ゲージにおいては、平面鏡２０に対する溶接チップ５０ｃの入射軸１２０を、底面１０ｔの垂直方向に設定し、平面鏡２０を、該平面鏡２０に写像する溶接チップ５０ｃの円形の像５０ｃｓの入射角と反射角とが一致するよう、底面１０ｔに対して特定の角度θ傾けて、本体部１０内に固定した。
【００４４】
また、本体部１０の側面１０ｓであって、平面鏡２０に対する入射軸１２０に沿った入射方向に対する反射方向の反射軸１３０と交差する位置に、平面鏡２０に写像される溶接チップ５０ｃの円形の像５０ｃｓ及びセンタマーク４０の像４０’の反射光を観察可能な接眼部１１を、該接眼部１１の中心が反射軸１３０と一致するよう接続した。
【００４５】
このことにより、観察者１００は、接眼部１１から、溶接ガン５０の中心軸５１と合致する溶接チップ５０ｃの入射軸１２０の像、即ち、平面鏡２０に写像された溶接チップ５０ｃの像５０ｃｓを確認することができる。
【００４６】
その結果、溶接チップ５０ｃの像５０ｃｓを、センタマーク４０のクロスマーク４０ｃの像４０ｃ’と合致する位置、及び円形マーク４０ｓの像４０ｓ’の外周に同心円となる位置に、溶接チップ５０ｃを移動させるだけで、容易に、溶接ガン５０の中心軸５１を、被溶接ワーク３０の面３０ｆに対し、精度良く正確に面直に設定することできる。
【００４７】
尚、以下、変形例を示す。  
本実施の形態においては、２つの側面１０ｓは、光透過性を有する透明なプレート部材、例えば透明な樹脂プレートから形成されていると示した。これに限らず、側面１０ｓにおいて接眼部１１が接続される、平面鏡２０の反射軸１３０と交差する位置のみを、光透過性を有する透明なプレート部材により形成すれば、他の側面１０ｓ上の位置は、光透過性を有さない部材、例えば底面１０ｔと同じ部材により形成してもよい。
【００４８】
また、平面鏡２０を底面１０ｔに対して特定の角度θを有するよう保持できる部材であって、さらに、観察者１００から、平面鏡２０に写像した溶接チップ５０ｃの円形の像５０ｃｓ及びセンタマーク４０の像４０’の反射光が観察できる構成であれば、上面１０ｊ及び底面１０ｔを連結する部材は、側面１０ｓに限定されず、例えば柱状部材等であってもよい。したがって、面直ゲージ１の本体部１０は、箱状形状に限定されない。
【００４９】
さらに、本実施の形態においては、センタマーク４０は、本体部１０の入射軸１２０と交差する上面１０ｊに中心が記されていると示した。これに限らず、センタマーク４０は、入射軸１２０と、反射軸１３０とのいずれかと交差する面であれば、上面１０ｊに限らず、本体部１０のどの面に付しても良い。さらには、接眼部１１の反射軸１３０と交差する面に設けても良い。
【００５０】
さらに、センタマーク４０は、クロスマーク４０ｃ及び円形マーク４０ｓ、またはクロスマーク４０ｃと、円形マーク４０ｓとのいずれかで構成されていると示したが、これに限らず、溶接ガン５０の中心軸５１の被溶接ワーク３０の面３０ｆに対する面直度を、溶接チップ５０ｃの円形の像５０ｃｓのセンタマーク４０の像４０’に対する位置関係で確認できるマークであれば、どのような形状のマークであっても良いということは勿論である。
【００５１】
以下、さらに別の変形例を示す。  
図４は、図１の面直ゲージの構成の変形例を、溶接機の溶接ガンと、被溶接ワークとともに示した部分断面図、図５は、図４の面直ゲージをＶの方向から見た側面図である。
【００５２】
本実施の形態においては、平面鏡２０に写像された溶接チップ５０ｃの円形の像５０ｃｓのセンタマーク４０の像に対する位置関係を確認するため、本体部１０の側面１０ｓであって、平面鏡２０の反射軸１３０と交差する位置に、平面鏡２０に写像される溶接チップ５０ｃの円形の像５０ｃｓ及びセンタマーク４０の像４０’の反射光を観察可能な接眼部１１を、該接眼部１１の中心が反射軸１３０と一致するよう接続した。
【００５３】
これに限らず、図４、図５に示すように、光透過性を有する透明な部材から形成された側面１０ｓの反射軸１３０と交差する位置に、例えば反射軸１３０を中心とした観察手段である楕円形のマーク２４０を付すことにより、側面１０ｓに、接眼部１１を設けることが不要となる。
【００５４】
尚、この楕円形のマーク２４０は、センタマーク４０と重なるよう反射軸１３０の方向から見ると、平面鏡２０に写像された溶接チップ５０ｃの円形の像５０ｃｓと同心円であって、円形の像５０ｃｓよりも大径な円に見えるようになっている。
【００５５】
具体的には、観察者１００は、楕円形のマーク２４０とセンタマーク４０とが重なる方向である側面１０ｓの反射軸１３０上から、上述した図３に示すように、平面鏡２０に写像された溶接チップ５０ｃの円形の像５０ｃｓを観察したまま、円形のマーク２４０に同心円となるよう位置するまで、溶接チップ５０ｃを手動操作により、移動させる。
【００５６】
このことで、上述した本実施の形態同様、溶接ガン５０の中心軸５１と被溶接ワーク３０の面３０ｆとを、容易かつ精度良く面直に設定することができる。
【００５７】
尚、この際、楕円形のマーク２４０とセンタマーク４０とが重なる方向である反射軸１３０の方向から見るマーク２４０の円の大きさが、溶接チップ５０ｃの円形の像５０ｃｓと同径の同心円となるよう、マーク２４０の楕円の大きさを設定すれば、観察者１００は、側面１０ｓの反射軸１３０上から、上述した図３に示すように、平面鏡２０に写像された溶接チップ５０ｃの円形の像５０ｃｓを観察したまま、マーク２４０と重畳するまで、溶接チップ５０ｃを移動させることで、溶接ガン５０の中心軸５１と被溶接ワーク３０の面３０ｆとを、容易かつ精度良く面直に設定することができる。
【図面の簡単な説明】
【００５８】
【図１】本発明の一実施の形態を示す面直ゲージの構成を、溶接機の溶接ガンと、被溶接ワークとともに示した部分断面図。
【図２】図１の面直ゲージの上面図。
【図３】図１の平面鏡に写像された溶接チップ及びセンタマークを示す平面図。
【図４】図１の面直ゲージの構成の変形例を、溶接機の溶接ガンと、被溶接ワークとともに示した部分断面図。
【図５】図４の面直ゲージをＶの方向から見た側面図。
【符号の説明】
【００５９】
１…面直ゲージ
１０…本体部
１０ｓ…側面
１０ｔ…底面
１１…接眼部
２０…平面鏡
３０…被溶接ワーク
４０…センタマーク
４０’…センタマークの像
４０ｃ…クロスマーク
４０ｃ’…クロスマークの像
４０ｓ…円形マーク
４０ｓ’…円形マークの像
５０…溶接ガン
５０ｃｓ…溶接チップの像
５１…溶接ガンの中心軸
１２０…入射軸
１３０…反射軸
２４０…楕円形のマーク
代理人    弁理士    伊藤  進
【図１】
2006218538.tif 000003
【図２】
2006218538.tif 000004
【図３】
2006218538.tif 000005
【図４】
2006218538.tif 000006
【図５】
2006218538.tif 000007